(57)【要約】【目的】大きな棚板を支持することができるようにする。【構成】一定の間隔で開口２１０が開設された棚柱２００に取り付けられた状態で棚板３００を支持する棚板支持部材であって、棚板３００が載置される本体部１１０と、この本体部１１０の下面から斜め下方向に延出される支柱部１２０と、前記本体部１１０の基端側の下面側にスライド可能に取り付けられる固定部材１３０とを備えており、前記本体部１１０の基端側には前記開口２１０に係合する本体側爪部１１１が、前記支柱部１２０の基端側には前記開口２１０に係合する支柱側爪部１２１がそれぞれ形成されており、前記本体側爪部１１１及び支柱側爪部１２１が開口２１０に係合された状態で、前記固定部材１３０を棚柱２００側にスライドさせると、固定部材１３０の基端側から突出した圧入爪部１３１が本体側爪部１１１が係合された開口２１０に圧入される。【選択図】      図１
2004180772.tif 000002
【特許請求の範囲】
【請求項１】
一定の間隔で開口が開設された棚柱に取り付けられた状態で棚板を支持する棚板支持部において、棚板が載置される本体部と、この本体部の下面から斜め下方向に延出される支柱部と、前記本体部の基端側の下面側にスライド可能に取り付けられる固定部材とを具備しており、前記本体部の基端側には前記開口に係合する本体側爪部が、前記支柱部の基端側には前記開口に係合する支柱側爪部がそれぞれ形成されており、前記本体側爪部及び支柱側爪部が開口に係合された状態で、前記固定部材を棚柱側にスライドさせると、固定部材の基端側から突出した圧入爪部が本体側爪部が係合された開口に圧入されることを特徴とする棚板支持部材。
【請求項２】
前記本体部は、横幅寸法が先端側ほど細くなるべく先細りに設定されており、前記固定部材には、本体部の側面部に対向する一対の壁部が形成されており、前記固定部材を棚柱側にスライドさせると、圧入爪部が開口に圧入されるとともに、前記壁部が本体部の側面に圧接されることを特徴とする請求項１記載の棚板支持部材。
【請求項３】
前記固定部材の先端側には、固定部材をスライドさせる際に指先を当てる指当て部が下方向に向かって折曲形成されていることを特徴とする請求項１、２又は３記載の棚板支持部材。
【請求項４】
前記本体部の本体側爪部は、支柱部の支柱側爪部が棚柱の開口に係合した状態から、支柱部を下方向に弾性変形させて棚柱の開口に係合させることを特徴とする請求項１、２又は３記載の棚板支持部材。
【請求項５】
前記支柱側爪部は下向きに、前記本体側爪部は上向きに形成されていることを特徴とする請求項４記載の棚板支持部材。
【発明の詳細な説明】
【０００１】
【発明の属する技術分野】
本発明は、一定の間隔で開口が開設された棚柱に取り付けられた状態で棚板を支持する棚板支持部に関する。
【０００２】
【従来の技術】
この種の棚板支持部材としては、実用新案登録公報第２５８５３４４号（特許文献１）に記載された棚受がある。この棚受は、『水平方向に伸びる載置板部と、この載置板部の基端側から斜め下前方向に延びる支持板部とを備え、上記載置板部の先端部には、棚柱に形成された係合孔に係脱可能に挿入される係合部が形成された棚受であって、上記載置板部と上記支持板部とを一体に形成するとともに、上記支持板部の両側部に上記棚柱の上記係合孔が形成された面に突き当たる補強板部を一体に形成し、上記載置板部に上記棚柱の係合孔に嵌合することによって上記係合部が係合孔から抜けるのを阻止する固定部材を上記載置板部の前後方向へ移動可能に設け、上記固定部材には、上記支持板部に突き当たることによって固定部材が上記載置板部から前後方向へ脱落するのを防止する脱落防止部を設けた』ものである。
【０００３】
また、図９に示すように、一枚の金属板を鋭角に折曲し、水平部分を棚板支持部５１０とし、傾斜部分を支持柱部５２０とし、棚板支持部５１０の端部と支持柱部５２０の端部とにそれぞれ爪部５１１、５２１を形成した棚板支持部材がある。この棚板支持部材は、一方の爪部５１１を棚柱（図示省略）の開口に係合させ、支持柱部５２０を弾性変形させて、他方の爪部５２１を他の開口に係合させる挿入することで棚柱に取り付けるようになっている。
【０００４】
【特許文献】
実用新案登録公報第２５８５３４４号（第１頁  図１）
【０００５】
【発明が解決しようとする課題】
しかしながら、上述した棚受には以下のような問題点がある。
まず、載置板部と補強板部とが一体に形成されているために、大きな棚板を支持するために、載置板部を大きくすることができないという点である。すなわち、支持板部を大きくすると、それに伴って補強板部も大きくなるが、補強板部が大きくなると、棚板の下基端側に大きな補強板部が存在するため、デザイン的に好ましくないためである。また、補強板部が大きくなることによって、全体の重量も増加するという問題点もある。
【０００６】
また、図９に示す棚板支持部材では、棚板支持部の爪部が単に開口に係合しているだけなので、大きな下向きの荷重が加えられた場合に、棚板支持部が弾性変形し、場合によっては棚板支持部の爪部が棚柱の開口から外れ、その結果、棚板が落下するおそれもある。
【０００７】
本発明は上記事情に鑑みて創案されたもので、大きな棚板を支持することができ、かつ棚板の落下が生じない棚板支持部材を提供することを目的としている。
【０００８】
【課題を解決するための手段】
本発明に係る棚板支持部材は、一定の間隔で開口が開設された棚柱に取り付けられた状態で棚板を支持する棚板支持部であって、棚板が載置される本体部と、この本体部の下面から斜め下方向に延出される支柱部と、前記本体部の基端側の下面側にスライド可能に取り付けられる固定部材とを備えており、前記本体部の基端側には前記開口に係合する本体側爪部が、前記支柱部の基端側には前記開口に係合する支柱側爪部がそれぞれ形成されており、前記本体側爪部及び支柱側爪部が開口に係合された状態で、前記固定部材を棚柱側にスライドさせると、固定部材の基端側から突出した圧入爪部が本体側爪部が係合された開口に圧入されるようになっている。
【０００９】
【発明の実施の形態】
図１は本発明の実施の形態に係る棚板支持部材が棚柱に取り付けられ、固定部材で固定された状態を示す概略的断面図、図２は本発明の実施の形態に係る棚板支持部材が棚柱に取り付けられ、まだ固定部材で固定されていない状態を示す概略的断面図、図３は本発明の実施の形態に係る棚板支持部材の概略的斜視図、図４は本発明の実施の形態に係る棚板支持部材を構成する本体部の図面であって、同図（Ａ）は概略的平面図、同図（Ｂ）は概略的側面図、図５は本発明の実施の形態に係る棚板支持部材を構成する固定部材の概略的斜視図、図６は本発明の実施の形態に係る棚板支持部材が取り付けられる棚柱の概略的斜視図、図７は本発明の他の実施の形態に係る棚板支持部材が棚柱に取り付けられ、固定部材で固定された状態を示す概略的断面図、図８は本発明のその他の実施の形態に係る棚板支持部材が棚柱に取り付けられ、固定部材で固定された状態を示す概略的断面図である。
【００１０】
本発明の実施の形態に係る棚板支持部材１００は、一定の間隔で開口２１０が開設された棚柱２００に取り付けられた状態で棚板３００（図１参照）を支持する棚板支持部材であって、棚板３００が載置される本体部１１０と、この本体部１１０の下面から斜め下方向に延出される支柱部１２０と、前記本体部１１０の基端側の下面側にスライド可能に取り付けられる固定部材１３０とを備えており、前記本体部１１０の基端側には前記開口２１０に係合する本体側爪部１１１が、前記支柱部１２０の基端側には前記開口２１０に係合する支柱側爪部１２１がそれぞれ形成されており、前記本体側爪部１１１及び支柱側爪部１２１が開口２１０に係合された状態で、前記固定部材１３０を棚柱２００側にスライドさせると、固定部材１３０の基端側から突出した圧入爪部１３１が本体側爪部１１１が係合された開口２１０に圧入される。
【００１１】
前記棚柱２００は、壁面等に取り付けられる長尺状の部材であり、所定の間隔で略矩形状の開口２１０が複数個開設されている。また、この棚柱２００の側面側の縁部は折曲形成されてリブ２２０が形成されている。さらに、この棚柱２００には、棚柱２００を壁面等に取り付けるためのネジ（図示省略）が貫通する貫通孔２３０が開設されている。なお、前記リブ２２０の高さ寸法は、棚柱２００が壁面等に取り付けられた状態でも、開口２１０が開設された部分と壁面等との間に、本体側爪部１１１、圧入爪部１３１及び支柱側爪部１２１のための隙間を形成することができる程度に設定されている。
【００１２】
前記棚板支持部材１００は、水平方向に伸びる本体部１１０と、この本体部１１０の下面から斜め下方向に延出される支柱部１２０とを有している。前記本体部１１０は、帯状の金属板の両側面を上側に向かって約９０°折曲形成したものであって、折曲形成された部分は一対の側面部１１２となっている。前記側面部１１２に上端には、所定間隔で複数個の凹部１１３が形成されている。
【００１３】
また、前記本体部１１０は、図１に示すように、支持すべき棚板３００の奥向き寸法より若干短い程度に設定されている。また、この本体部１１０は、横幅寸法が先端側ほど細くなるべく先細りに設定されている。すなわち、この本体部１１０の横幅寸法は、図４（Ａ）に示すように、先端が細く、基端に向かうほど太くなっているのである。かかる本体部１１０の基端側には上向きの本体側爪部１１１が形成されている。
【００１４】
かかる本体部１１０の基端側には、固定部材１３０がスライド可能に取り付けられている。この固定部材１３０は、図５に示すように、上向きの凹字形状に形成されており、底面１３２にはスリット１３３が開設されている。さらに、前記底部１３２の一端側には、前記開口２１０に圧入可能な舌片状の圧入爪部１３１が突出されている。また、この圧入爪部１３１が形成された側とは反対の側には、底部１３２に対して略９０°下向きに折曲形成された指当て部１３４が形成されている。この指当て部１３４は、固定部材１３０をスライドさせる際に指が当たる部分である。
【００１５】
かかる固定部材１３０は、前記スリット１３３とこれを貫通するリベット１３６を用いて本体部１１０の下面にスライド可能に取り付けられている。
【００１６】
かかる固定部材１３０の一対の壁部１３５の間の寸法は、本体部１１０の一対の側面部１１２の基端における外側寸法より  若干小さく設定されている。すなわち、固定部材１３０を本体部１１０の基端側にスライドさせると、固定部材１３０は本体部１１０に対して圧入されることになる。
【００１７】
前記支柱部１２０は、前記本体部１１０の下面側から斜め下方向に延出されており、その先端が下向きの支柱側爪部１２１となっている。この支柱部１２０は、基端側において、本体部１１０の下面にスポット溶接で接続されている。この支柱部１２０は、他の部材を構成する素材よりは若干薄い金属板から形成されているため、弾性変形させることが可能である。
【００１８】
前記本体部１１０の本体側爪部１１１と、支柱部１２０の支柱側爪部１２１との間の距離は、前記本体側爪部１１１が係合する開口２１０と、前記支柱側爪部１２１が係合する開口２１０との間の距離より若干大きく設定されている。具体的には、支柱部１２０を弾性変形させると、両爪部１１１、１２１が両開口２１０に係合するような距離に設定されている。
【００１９】
次に、上述した棚板支持部材１００を棚柱２００に取り付ける手順について説明する。
まず、支柱部１２０の支柱側爪部１２１を棚柱２００の１つの開口２１０に係合させる。次に、本体部１１０の本体側爪部１１１を、前記支柱側爪部１２１が係合された開口２１０より３つ上側の開口２１０に係合させる。その際、本体部１１０に対して下側の力を加えることにより、支柱部１２０を若干弾性変．させる。
【００２０】
本体側爪部１１１が開口２１０に係合した状態では、支柱部１２０の弾性力により、支柱側爪部１２１は係合された開口１２０の下端縁部に、本体側爪部１１１は係合された開口１２０の上端縁部にそれぞれ圧接させる。この状態で、棚板支持部材１００の棚柱２００への仮固定が行われる。なお、この状態では、本体側爪部１１１と支柱側爪部１２１とには、離れる方向に力が加わっているので、仮固定の状態が不用意に外れることはない。
【００２１】
さらに、棚板支持部材１００の固定部材１３０を指当て部１３４を介して、棚柱２００側へとスライドさせる。すると、固定部材３００の圧入爪部１３１が、本体側爪部１１１が係合している開口２１０に圧入される。この際、本体側爪部１１１は開口２１０の上側縁部に圧接されているとともに、固定部材３００の圧入爪部１３１は、本体部１１０の下面側に位置しているので、圧入爪部１３１の圧入はスムーズに行われる。
【００２２】
圧入爪部１３１が、本体側爪部１１１の係合している開口２１０に圧入されることにより、本体部１１０に下向きの力を加えても、本体側爪部１１１が開口２１０から外れることはない。また、固定部材３００の圧入爪部１３１が開口２１０に圧入されたということは、固定部材３００の一対の壁部１３５で、本体部１１０の一対の側面部１１２を外側から挟み込んで、圧接されたことになるので、固定部材１３０は不用意には開口２１０から外れることはない。
【００２３】
逆に、棚板支持部材１００を棚柱２００から取り外す場合には、固定部材１３０の指当て部１３４を介して固部材１３０を棚柱２００から離れる方向へスライドさせて圧入爪部１３１の開口への圧入を解除する。この後、本体部１１０に下向きの力を加えて、本体側爪部１１１を開口２１０の下側縁部に当接させ、支柱側爪部１２１を中心として本体部１１０を外側に移動させる。これにより、本体側爪部１１１が開口２１０から外れる。次に、支柱側爪部１２１を開口２１０から外すことで、棚板支持部材１００を棚柱２００から取り外すことができる。
【００２４】
なお、上述した実施の形態では、支柱部１２０は、本体部１１０のの基端側に近い部分から延出されていたが、図７に示すように、本体部１１０の先端側に近い部分から延出するようにしてもよい。
【００２５】
また、図８に示すように、本体部１１０の長さを短くしたいわゆるショートタイプのものであってもよいことはいうまでもない。
【００２６】
【発明の効果】
本発明に係る棚板支持部材は、一定の間隔で開口が開設された棚柱に取り付けられた状態で棚板を支持する棚板支持部であって、棚板が載置される本体部と、この本体部の下面から斜め下方向に延出される支柱部と、前記本体部の基端側の下面側にスライド可能に取り付けられる固定部材とを備えており、前記本体部の基端側には前記開口に係合する本体側爪部が、前記支柱部の基端側には前記開口に係合する支柱側爪部がそれぞれ形成されており、前記本体側爪部及び支柱側爪部が開口に係合された状態で、前記固定部材を棚柱側にスライドさせると、固定部材の基端側から突出した圧入爪部が本体側爪部が係合された開口に圧入されるようになっている。
【００２７】
従って、この棚板支持部材であると、大きな棚板であっても、支柱部は、本体部の下面から斜め下方向に延出されるため、支柱部は本体部に比較してそれほど大きくなくてもよいというメリットがある。また、固定部材は本体部の下面側に設けられているため、本体部の大きさに関係なく決定できるというメリットがある。
【００２８】
また、前記本体部は、横幅寸法が先端側ほど細くなるべく先細りに設定されており、前記固定部材には、本体部の側面部に対向する一対の壁部が形成されており、前記固定部材を棚柱側にスライドさせると、圧入爪部が開口に圧入されるとともに、前記壁部が本体部の側面に圧接されるような構成されているので、固定部材の圧入爪部を開口に圧入した際に、この圧入のみならず、本体部の側面への圧接によっても固定されるので、不用意に固定部材が外れるおそれがない。
【００２９】
また、前記固定部材の先端側には、固定部材をスライドさせる際に指先を当てる指当て部が下方向に向かって折曲形成されているので、固定部材のスライドが容易になる。
【００３０】
さらに、前記本体部の本体側爪部は、支柱部の支柱側爪部が棚柱の開口に係合した状態から、支柱部を下方向に弾性変形させて棚柱の開口に係合させるようになっている。このため、固定部材の圧入爪部を開口に圧入する前に、棚板支持部材を棚柱に仮固定することができる。
【００３１】
また、前記支柱側爪部は下向きに、前記本体側爪部は上向きに形成されていると、前記仮固定の際に、棚板支持部材がより外れにくくなるので、仮固定を行いやすい。
【図面の簡単な説明】
【図１】本発明の実施の形態に係る棚板支持部材が棚柱に取り付けられ、固定部材で固定された状態を示す概略的断面図である。
【図２】本発明の実施の形態に係る棚板支持部材が棚柱に取り付けられ、まだ固定部材で固定されていない状態を示す概略的断面図である。
【図３】本発明の実施の形態に係る棚板支持部材の概略的斜視図である。
【図４】図４は本発明の実施の形態に係る棚板支持部材を構成する本体部の図面であって、同図（Ａ）は概略的平面図、同図（Ｂ）は概略的側面図である。
【図５】本発明の実施の形態に係る棚板支持部材を構成する固定部材の概略的斜視図である。
【図６】は本発明の実施の形態に係る棚板支持部材が取り付けられる棚柱の概略的斜視図である。
【図７】本発明の他の実施の形態に係る棚板支持部材が棚柱に取り付けられ、固定部材で固定された状態を示す概略的断面図である。
【図８】本発明のその他の実施の形態に係る棚板支持部材が棚柱に取り付けられ、固定部材で固定された状態を示す概略的断面図である。
【図９】従来のこの種の棚板支持部材の概略的斜視図である。
【符号の説明】
１００    棚板支持部材
１１０    本体部
１１１    本体側爪部
１２０    支柱部
１２１    支柱側爪部
１３０    固定部材
１３１    圧入爪部
２００    棚柱
２１０    開口
【図１】
2004180772.tif 000003
【図２】
2004180772.tif 000004
【図３】
2004180772.tif 000005
【図４】
2004180772.tif 000006
【図５】
2004180772.tif 000007
【図６】
2004180772.tif 000008
【図７】
2004180772.tif 000009
【図８】
2004180772.tif 000010
【図９】
2004180772.tif 000011